(57)【要約】【課題】  防水効果の高い埋設管補修器用パッキンの提供。【解決手段】  本発明は、埋設管の破損部分に当該埋設管の外周面側から当てがわれる埋設管補修器用パッキンにおいて、前記パッキンの内周面の外縁に沿って前記内周面を囲うように外縁隔壁を設けると共に、前記内周面内を複数の区画に分けて隔室を形成する内部隔壁を設けたことを特徴とする。又、内部隔壁は前記内周面の中央から前記外縁隔壁に至る間に複数の隔壁が形成されるように設けたことを特徴とする。  又、内部隔壁は隣り合う隔室を形成する内部隔壁と共有されるように設けたことを特徴とする【選択図】図３
2006329253.tif 000002
【特許請求の範囲】
【請求項１】
埋設管の破損部分に当該埋設管の外周面側から当てがわれる埋設管補修器用パッキンにおいて、
前記パッキンの内周面の外縁に沿って前記内周面を囲うように外縁隔壁を設けると共に、前記内周面内を複数の区画に分けて隔室を形成する内部隔壁を設けたことを特徴とする埋設管補修器用パッキン。
【請求項２】
内部隔壁は前記内周面の中央から前記外縁隔壁に至る間に複数の隔壁が形成されるように設けたことを特徴とする請求項１に記載の埋設管補修器用パッキン。
【請求項３】
内部隔壁は隣り合う隔室を形成する内部隔壁と共有されるように設けたことを特徴とする請求項１又は請求項２に記載の埋設管補修器用パッキン。
【請求項４】
内部隔壁は隔室を形成する全ての内部隔壁が連続して延在するように設けたことを特徴とする請求項１乃至請求項３の何れかに記載の埋設管補修器用パッキン。
【請求項５】
外縁隔壁に接する隔室は当該外縁隔壁が当該区画の内部隔壁と兼用されるように設けたことを特徴とする請求項１乃至請求項４の何れかに記載の埋設管補修器用パッキン。
【請求項６】
各隔室が四角形となるように内部隔壁を設けたことを特徴とする請求項１乃至請求項５の何れかに記載の埋設管補修器用パッキン。
【請求項７】
各隔室が亀甲形となるように内部隔壁を設けたことを特徴とする請求項１乃至請求項５の何れかに記載の埋設管補修器用パッキン。
【請求項８】
埋設管補修器用パッキンは２枚一組にて補修対象の埋設管の外周面を覆うよう半割り筒状に形成され、互いに突き合わされる半割り筒状の合わせ面は断面において弧状に突出する曲面であることを特徴とする請求項請求項１乃至請求項７の何れかに記載の埋設管補修器用パッキン。
【発明の詳細な説明】
【技術分野】
【０００１】
本発明は、比較的径の大きな上水道管等の埋設管に生じた亀裂等の破損部分を塞ぐため、当該埋設管の外周を覆うように取り付けられる埋設管補修器用のパッキンに関する。
埋設管補修器は、半割り筒形形状であって、本発明の使用状態を示す斜視図図３やその断面図４に示すように、同一形状の２つの半割り筒の割り面を合わせるようにして、埋設管の破損部分をその外周面側から覆い、２つの割り面の合わせ部、即ち、図示の埋設管補修器では、一方の割り面の合わせ部側を係合させておき、他方の割り面の合わせ部側をボルト締めすることによって、埋設管に半永久的に装着させるものである。
【背景技術】
【０００２】
埋設管補修器用パッキン（以下、単にパッキンともいう）は、２つの半割り筒である前記埋設管補修器の内周面側に予め当てがわれて使用されるものであり、従来、均等な厚さで、表面が平滑な単純な板状部材が用いられていた。
【発明の開示】
【発明が解決しようとする課題】
【０００３】
しかし、前記のような、表面が平滑なパッキンでは、当該パッキンが平滑な内周面を持つ埋設管補修器によって埋設管の比較的平滑な外周面に当てがわれるだけであるため、埋設管補修器による締め付け圧力がパッキンの埋設管に当てがわれる面に均等に作用して分散されてしまい、亀裂等が生じた埋設管の破損部分からの漏水防止効果が今ひとつ十分でなかった。
【０００４】
又、埋設管の平滑な外周面に平滑なパッキンを当てがう構成では、一旦、水漏れによって埋設管外に水塊が生じてしまうと、締め付け圧力により却って水塊が圧されてパッキンと埋設管との間をさ迷い、遂には外部に漏水し、これを繰り返すことによって、水塊の逃げ道を自ずと生じさせてしまう、という不都合もあった。
【課題を解決するための手段】
【０００５】
本発明は、埋設管補修器用パッキンの内周面の外縁に沿って外縁隔壁を設けると共に当該内周面内を複数の区画に分ける隔室を形成する内部隔壁を設けたことを最も主要な特徴とする。
【０００６】
即ち、請求項１の発明は、埋設管の破損部分に当該埋設管の外周面側から当てがわれる埋設管補修器用パッキンにおいて、前記パッキンの内周面の外縁に沿って前記内周面を囲うように外縁隔壁を設けると共に、前記内周面内を複数の区画に分けて隔室を形成する内部隔壁を設けたことを特徴とする。
【０００７】
請求項２の発明は、請求項１に記載の埋設管補修器用パッキンにおいて、内部隔壁は前記内周面の中央から前記外縁隔壁に至る間に複数の隔壁が形成されるように設けたことを特徴とする。
【０００８】
請求項３の発明は、請求項１又は請求項２に記載の埋設管補修器用パッキンにおいて、内部隔壁は隣り合う隔室を形成する内部隔壁と共有されるように設けたことを特徴とする。
【０００９】
請求項４の発明は、請求項１乃至請求項３の何れかに記載の埋設管補修器用パッキンにおいて、内部隔壁は隔室を形成する全ての内部隔壁が連続して延在するように設けたことを特徴とする。
【００１０】
請求項５の発明は、請求項１乃至請求項４の何れかに記載の埋設管補修器用パッキンにおいて、外縁隔壁に接する隔室は当該外縁隔壁が当該区画の内部隔壁と兼用されるように設けたことを特徴とする。
【００１１】
請求項６の発明は、請求項１乃至請求項５の何れかに記載の埋設管補修器用パッキンにおいて、各隔室が四角形となるように内部隔壁を設けたことを特徴とする。
【００１２】
請求項７の発明は、請求項１乃至請求項５の何れかに記載の埋設管補修器用パッキンにおいて、各隔室が亀甲形となるように内部隔壁を設けたことを特徴とする。
【００１３】
請求項８の発明は、請求項請求項１乃至請求項７の何れかに記載の埋設管補修器用パッキンにおいて、埋設管補修器用パッキンは２枚一組にて補修対象の埋設管の外周面を覆うよう半割り筒状に形成され、互いに突き合わされる半割り筒状の合わせ面は断面において弧状に突出する曲面であることを特徴とする。
【発明の効果】
【００１４】
請求項1乃至請求項7の発明によれば、埋設管補修器による締め付け圧力が従来のようにパッキンの平面に均等に分散（拡散）せず、埋設管に圧接される隔壁部分のみとなるため締め付け圧力が当該隔壁部分に集中して相対的に圧力が増すため、漏水防止効果を高めることができる。
【００１５】
又、パッキンの中央部から外縁に至までの間に、隔壁による隔室を複数設けることにより、埋設管外に漏れた水塊であっても、少量であれば、比較的締め付け圧力が小さい隔室内にとどめることができるので、外縁に達する水塊の逃げ道の発生を抑制することができる。
【００１６】
請求項４の発明によれば、全ての内部隔壁を連続させることによって、破損箇所が中央となるようにパッキンを当てがえることにより、パッキンの外縁に至るまでに多数段の隔壁が存在することとなるので、漏水防止効果を更に一層高めることができる。
【００１７】
請求項８の発明によれば、埋設管補修器用パッキンを２枚一組にて補修対象の埋設管の外周面を覆うよう半割り筒状に形成しても、２枚の突き合せ面を断面において弧状に突出する曲面とすることによって、突合せ面における密着度即ち漏水防止効果を高めることができる。
【発明を実施するための最良の形態】
【００１８】
以下、本発明を、内部隔壁を碁盤目状に設けた埋設管補修器用パッキンを例にして説明する。
【実施例】
【００１９】
図１乃至図４は、本発明の実施例を示すものにして、図１は図４において下側に位置するパッキンの平面図、図２は図１のＡ-Ａ断面図、図３は使用状態を示す斜視図、図４は図３の断面図である。
【００２０】
図３及び図４において、図中の符号１は地下に埋設された比較的口径の大きな埋設管としての水道管（以下、埋設管ともいう）であり、２は当該埋設管１の破損部分（図示せず）に装着された埋設管補修器である。
この埋設管補修器２は、埋設管２の外周面側から当てがわれる２つの同形の半割筒の割り面を互いに突き合せて、突き合わせされた両縁側の一方縁側を係脱自在なヒンジ２４で連結し、他方縁側をボルト２３締めして、埋設管１の外周面に組みつけて、埋設管１と共に半永久的に使用される補修器である。
【００２１】
本発明の埋設管補修器用パッキン３（以下、単にパッキンともいう）は、半割り筒状の形をしており、２枚一組で筒形状となるように前記埋設管補修器２（半割り筒２１、半割り筒
２２）の内周面側に予め装着される。
図１及び図２において、パッキン３の内周面即ち、埋設管２の外周面に当接される面には、当該パッキン３の外縁に沿って略長四角形状の内周面（曲面）を囲うように外縁隔壁３１が断面コ字形の突状として連続的に延在（３１、３１、３１、３１）するように形成されている。
【００２２】
更に、外縁隔壁31に囲まれた内周面内には、碁盤目状に内部隔壁３２を設けて当該内周面を複数の区画に分け、多数の隔室３３が形成されている。
これ等の隔室３３は、内周面の中央から外縁隔壁３１に至る間に複数の隔壁が内部隔壁３２として形成されるように設けるのが好ましい。
【００２３】
このように、パッキン３の中央部からその外縁隔壁３１に至までの間に、内部隔壁３２による隔室３３ができるだけ多数位置するように、複数設けることにより、埋設管２の外に漏れた水塊が生じてあっても、この水塊が少量であれば、比較的締め付け圧力が小さい各隔室３３内にとどめることができるので、外縁隔壁３１を越えて外部に達する水塊の逃げ道の発生を自ずと抑制することができる。
【００２４】
図示の内部隔壁３２は隣り合う隔室３３を形成する内部隔壁３３が共有されており、隔室３３を形成する全ての内部隔壁３２は連続して延在している。
又、外縁隔壁３１に接する隔室３３は当該外縁隔壁３１が当該区画即ち隔室３３の内部隔壁３２と兼用されている。
【００２５】
図示の例では、各隔室３３が四角形となるように内部隔壁３２を設けてあるが、勿論これに限らず、三角形、六角形（亀甲形）等の角形、或いは、円や楕円形等の形状であっても良い。
又、隣り合う隔室３３を形成する内部隔壁３２は必ずしも共有される必要はないが、少なくとも、隔室３３を形成する内部隔壁３２の一部は隣り合う隔室３３を形成する内部隔壁３２の一部と少なくとも連続するよう形成されることが好ましい（図示せず）。
【００２６】
このように、内部隔壁３２を互いに連続させることによって、破損箇所が中央となるようにパッキン３を当てがえた場合には、パッキン３の外縁に至までに多数段の隔壁３２を存在させることができるので、漏水防止効果を更に高めることができる。
【００２７】
図２において、前述したように、埋設管補修器用パッキン３は２枚一組にて補修対象の埋設管２の外周面を覆うよう半割り筒状に形成されるが、筒状となるように互いに突き合わされる半割り筒状の合わせ面３４、３４は、その断面において弧状に突出する曲面に形成されている。
これにより、筒状となるように埋設管１の外周面に当接された状態にて埋設管補修器２をボルト締めする際、突合せ面における密着度が一段と高まり、漏水防止効果が一層高められる。
【産業上の利用可能性】
【００２８】
本発明は、上記実施例に示す水道管のみならず、ガス管やその他の比較的口径の大きな埋設管の補修用パッキンとして用いることができる。
【図面の簡単な説明】
【００２９】
図４において下側に位置するパッキンの平面図、図２は、図３は、図４は図３の断面図である。
【図１】パッキンの平面図である。
【図２】図１のＡ-Ａ断面図である。
【図３】使用状態を示す斜視図である。
【図４】図３の断面図である。
【符号の説明】
【００３０】
１    埋設管（水道管）
２    埋設管補修器
２１  半割り筒（埋設管補修器）
２２  半割り筒（埋設管補修器９
２３  ボルト
２４  ヒンジ
３    埋設管補修器用パッキン
３１  外縁隔壁
３２  内部隔壁
３３  隔室
３４  合わせ面（パッキン）
【図１】
2006329253.tif 000003
【図２】
2006329253.tif 000004
【図３】
2006329253.tif 000005
【図４】
2006329253.tif 000006